(57)【要約】【課題】電話端末の機種に関係なく、ユーザ自身の電話端末に設定した機能を他の電話端末にて使用できるようにする。【解決手段】主装置３において、設定可能な複数の電話機能各々についての初期値を表すテンプレートを各電話端末の端末種別情報に対応付けてテンプレートデータテーブル３５３に登録しておくようにし、電話端末２−２にてユーザ名、電話端末２−１の端末ＩＤ及び電話端末２−１の端末種別情報を含むログイン情報が発生した場合に、端末設定変換部３４２にて電話端末２−２に対応するテンプレートをテンプレートデータテーブル３５３から参照して、電話端末２−１へセットすべく電話機能を表す設定情報テーブルを電話端末２−２対応の設定情報テーブルに変換し、この変換後の設定情報テーブル中の該当する電話機能の機能情報を電話端末２−２にセットする。【選択図】    図５
2004363651.tif 000002
【特許請求の範囲】
【請求項１】
互いに種類が異なる複数の電話端末を接続し、前記電話端末に対し設定可能な範囲内で互いに異なる通信機能を実行するための複数の機能情報の中から任意の通信機能の機能情報が選択的にセットされた場合に、当該機能情報に基づいて選択した通信機能を実行する電話交換装置であって、
設定可能な複数の通信機能各々についての初期設定情報を表す初期設定テーブルを前記電話端末の種類に対応付けて格納した第１の記憶手段と、
前記電話端末を所有するユーザに予め付与した個別識別情報に対応付けて、該電話端末にセットすべく機能情報群を表す設定情報テーブルを格納した第２の記憶手段と、
前記複数の電話端末のうち第１の電話端末にて、この第１の電話端末と異なる第２の電話端末のユーザの個別識別情報を含む機能使用要求が発生した場合に、前記ユーザの個別識別情報に対応する設定情報テーブルを前記第２の記憶手段から読み出し、この設定情報テーブルを、前記第１の記憶手段に記憶される前記第１の電話端末の種類に対応の初期設定テーブルを参照して、前記第１の電話端末対応の設定情報テーブルに変換する変換手段と、
この変換手段で得られる設定情報テーブルに基づいて前記第１の電話端末に対し該当する複数の機能情報をセットする制御手段とを具備したことを特徴とする電話交換装置。
【請求項２】
前記変換手段は、前記機能使用要求に前記第２の電話端末の種類を表す端末種別情報が付加されているとき、この端末種別情報に基づいて前記第１の電話端末の種類と前記第２の電話端末の種類とが異なるか否かを判定し、異なる場合に前記第１の電話端末に対応する初期設定テーブル中の該当する初期設定情報を前記設定情報テーブル中の機能情報に更新することを特徴とする請求項１記載の電話交換装置。
【請求項３】
前記制御手段は、前記第２の電話端末のユーザに対応する設定情報テーブルが前記第１の電話端末に対応する設定情報テーブルに変換されたと判定された場合に、その旨を前記第１の電話端末に提示し、この提示に対しユーザが機能設定指示を入力した場合に前記第１の電話端末に対し該当する複数の機能情報をセットすることを特徴とする請求項１記載の電話交換装置。
【請求項４】
予めユーザに付与された個別識別情報に対応付けて、前記電話端末に付与された端末識別情報及び前記電話端末の端末種別情報をそれぞれ格納した第３の記憶手段をさらに備え、
前記変換手段は、前記機能使用要求に含まれる個別識別情報と前記第３の記憶手段に記憶されている個別識別情報とを比較することで前記第１の電話端末に対する機能設定の可否を判定し、機能設定が可能であると判定した場合に、前記第２の電話端末に対応の設定情報テーブルを前記第１の電話端末対応の設定情報テーブルに変換することを特徴とする請求項１記載の電話交換装置。
【請求項５】
前記変換手段により前記第１の電話端末に対応する設定情報テーブルに変換された後、登録指示に応じて該変換された設定情報テーブルを前記個別識別情報に対応付けて前記第２の記憶手段に登録するとともに、前記第１の電話端末の端末識別情報及び前記第１の電話端末の端末種別情報を前記個別識別情報に対応付けて前記第３の記憶手段に登録する登録制御手段をさらに備えたことを特徴とする請求項４記載の電話交換装置。
【請求項６】
通信ネットワークに接続され、互いに種類が異なる複数の電話端末と、これら複数の電話端末を通信ネットワークを介して収容し、前記電話端末に対し設定可能な範囲内で互いに異なる通信機能を実行するための複数の機能情報の中から任意の通信機能の機能情報が選択的にセットされた場合に、当該機能情報に基づいて選択した通信機能を実行する電話交換装置とを具備し、
前記電話交換装置は、
設定可能な複数の通信機能各々についての初期設定情報を表す初期設定テーブルを前記電話端末の種類に対応付けて格納した第１の記憶手段と、
前記電話端末を所有するユーザに予め付与した個別識別情報に対応付けて、該電話端末にセットすべく機能情報群を表す設定情報テーブルを格納した第２の記憶手段と、
前記複数の電話端末のうち第１の電話端末にて、この第１の電話端末と異なる第２の電話端末のユーザの個別識別情報を含む機能使用要求が発生した場合に、前記ユーザの個別識別情報に対応する設定情報テーブルを前記第２の記憶手段から読み出し、この設定情報テーブルを、前記第１の記憶手段に記憶される前記第１の電話端末の種類に対応の初期設定テーブルを参照して、前記第１の電話端末対応の設定情報テーブルに変換する変換手段と、
この変換手段で得られる設定情報テーブルに基づいて前記第１の電話端末に対し該当する複数の機能情報をセットする制御手段とを備えたことを特徴とするネットワーク電話システム。
【発明の詳細な説明】
【０００１】
【発明の属する技術分野】
この発明は、例えばネットワーク電話システムにおいて、主装置に接続される電話端末のユーザが移動先となる他の電話端末に対し、移動元の電話端末にセット済みの機能をセットする電話交換装置と、この電話交換装置を使用したネットワーク電話システムに関する。
【０００２】
【従来の技術】
オフィスや事業所等においては、電子構内交換機やボタン電話装置といった電話交換装置が多く使用されている。この電話交換装置は、多数の電話端末を収容しており、１つの電話システムを構築している。
【０００３】
ところで、近年では、この種の電話システムにおいて、ユーザが自分の電話端末に設定した各種機能を移動先となる他の電話端末でも利用したいというニーズが強く出されている。この場合、ユーザ自身の電話端末に付与された端末ＩＤ、ユーザ名、端末機種を電話交換装置内の端末登録テーブルに予め登録しておくとともに、ユーザ自身の電話端末に設定した機能情報を電話交換装置内のユーザ毎のユーザ設定情報テーブルに予め登録しておくようにする。そして、電話端末Ａのユーザが他の電話端末Ｂにて電話端末Ａの端末ＩＤ、ユーザ名、端末機種を含むログイン情報を入力した際に、上記登録されたユーザ設定情報テーブルを基に電話端末Ｂに機能情報をセットするようにしている（例えば特許文献１及び特許文献２）。
【０００４】
【特許文献１】
特開２０００−５９８８３１号公報
【０００５】
【特許文献２】
特許第３１８４６３７号公報。
【０００６】
【発明が解決しようとする課題】
ところで、上記システムでは、電話端末Ａのユーザが電話端末Ｂに移動してログインを行う際に、電話端末Ａと電話端末Ｂの端末機種が同一であり、機能的にキー数の違い程度のわずかな差しかない場合には、ユーザは電話端末Ａに設定していた機能を電話端末Ｂにて引き続き利用することができる。しかし、電話端末Ａと電話端末Ｂとで対応できるサービスの種類が異なったり、各々特殊なキーを有する場合には、電話端末Ａに設定されていた機能を単純に電話端末Ｂにて利用することができない。
【０００７】
そこで、この発明の目的は、電話端末の機種に関係なく、ユーザ自身の電話端末に設定した機能を他の電話端末にて使用できるようにし、これによりユーザの利便性を高めた電話交換装置及びネットワーク電話システムを提供することにある。
【０００８】
【課題を解決するための手段】
この発明は、上記目的を達成するために、以下のように構成される。
（１）互いに種類が異なる複数の電話端末を接続し、電話端末に対し設定可能な範囲内で互いに異なる通信機能を実行するための複数の機能情報の中から任意の通信機能の機能情報が選択的にセットされた場合に、当該機能情報に基づいて選択した通信機能を実行する電話交換装置であって、設定可能な複数の通信機能各々についての初期設定情報を表す初期設定テーブルを電話端末の種類に対応付けて格納した第１の記憶手段と、電話端末を所有するユーザに予め付与した個別識別情報に対応付けて、該電話端末にセットすべく機能情報群を表す設定情報テーブルを格納した第２の記憶手段と、複数の電話端末のうち第１の電話端末にて、この第１の電話端末と異なる第２の電話端末のユーザの個別識別情報を含む機能使用要求が発生した場合に、ユーザの個別識別情報に対応する設定情報テーブルを第２の記憶手段から読み出し、この設定情報テーブルを、第１の記憶手段に記憶される第１の電話端末の種類に対応の初期設定テーブルを参照して、第１の電話端末対応の設定情報テーブルに変換する変換手段と、この変換手段で得られる設定情報テーブルに基づいて第１の電話端末に対し該当する複数の機能情報をセットする制御手段とを備えるようにしたものである。
【０００９】
（１）の発明によれば、設定可能な複数の通信機能各々についての初期設定情報を表す初期設定テーブルを電話端末の種類に対応付けて登録しておくことにより、第１の電話端末にて第２の電話端末のユーザの個別識別情報を含む機能使用要求が発生した場合に、この登録した第１の電話端末に対応する初期設定テーブルを参照して、第２の電話端末へセットすべく通信機能を表す設定情報テーブルを第１の電話端末対応の設定情報テーブルに変換して該第２の電話端末にセットすることができる。これにより、第２の電話端末にセットされていた通信機能を第１の電話端末で利用することができ、ユーザの利便性は大幅に改善される。また、第２の電話端末にセットされていた多数の通信機能を第１の電話端末に一度に転送してセットできる利点もある。
【００１０】
（２）変換手段は、機能使用要求に第２の電話端末の種類を表す第１の端末種別情報が付加されているとき、この第１の端末種別情報に基づいて第１の電話端末の種類と第２の電話端末の種類とが異なるか否かを判定し、異なる場合に第１の電話端末に対応する初期設定テーブル中の該当する初期設定情報を設定情報テーブル中の機能情報に更新することを特徴とする。
【００１１】
（２）の発明によれば、第１の電話端末にて第２の電話端末のユーザによる機能使用要求が入力された際に、設定情報テーブルの変換処理に先立ち、第１の電話端末の種類と第２の電話端末の種類とが異なるか否かを判定される。そして、異なる場合に、第１の電話端末に対応する初期設定テーブルの該当する初期設定情報が第２の電話端末にセットされていた機能情報に更新されることになり、これにより第１の電話端末に対応する設定情報テーブルを効率良く作成することができる。
【００１２】
（３）制御手段は、第２の電話端末のユーザに対応する設定情報テーブルが第１の電話端末に対応する設定情報テーブルに変換されたと判定された場合に、その旨を第１の電話端末に提示し、この提示に対しユーザが機能設定指示を入力した場合に第１の電話端末に対し該当する複数の機能情報をセットすることを特徴とする。
【００１３】
（３）の発明によれば、第２の電話端末に対応する設定情報テーブルが第１の電話端末に対応する設定情報テーブルに変換されるごとにユーザが自身でその設定情報テーブルの内容を確認することができ、これにより各通信機能を第１の電話端末にセットする必要がある場合のみセットすることができる。
【００１４】
（４）予めユーザに付与された個別識別情報に対応付けて、電話端末の端末識別情報及び電話端末の端末種別情報をそれぞれ格納した第３の記憶手段をさらに備え、変換手段は、機能使用要求に含まれる個別識別情報と第３の記憶手段に記憶されている個別識別情報とを比較することで第１の電話端末に対する機能設定の可否を判定し、機能設定が可能であると判定した場合に、第２の電話端末に対応の設定情報テーブルを第１の電話端末対応の設定情報テーブルに変換することを特徴とする。
（４）の発明によれば、登録済みのユーザの個別識別情報を利用して、設定情報テーブルの変換処理に先立ち、ユーザの正当性についても事前に確実に判断することができる。
【００１５】
（５）変換手段により第１の電話端末に対応する設定情報テーブルに変換された後、登録指示に応じて該変換された設定情報テーブル及び第１の電話端末の端末識別情報を個別識別情報に対応付けて第２の記憶手段に登録するとともに、第１の電話端末の端末識別情報及び第１の電話端末の端末種別情報を個別識別情報に対応付けて第３の記憶手段に登録する登録制御手段をさらに備えたことを特徴とする。
（５）の発明によれば、ユーザは第１の電話端末を継続的に使用する場合については個別識別情報を１度登録すればよいことになり、これにより登録操作を大幅に簡略化できる。
【００１６】
【発明の実施の形態】
以下、この発明の実施形態について図面を参照して詳細に説明する。
図１は、この発明に係わるネットワーク電話システムの一実施形態を示す概略構成図である。
このシステムは、ＬＡＮ（Ｌｏｃａｌ  Ａｒｅａ  Ｎｅｔｗｏｒｋ）１を有する。このＬＡＮ１には、複数の電話端末２−１〜２−ｎ（ｎは自然数）が接続されている。また、ＬＡＮ１には、主装置３が接続されている。主装置３は、ＬＡＮ１上に接続された複数の電話端末２−１〜２−ｎ相互間の接続や、ＬＡＮ１と公衆網４との間を接続するもので、ＬＡＮ１と公衆網４との間における通信プロトコル及び信号フォーマットの変換機能を備えている。
【００１７】
上記主装置３は、この発明に係わる機能として次のような機能を有している。図２はその構成を示すブロック図である。
すなわち、主装置３は、公衆網インタフェース（Ｉ／Ｆ）部３１と、ＬＡＮインタフェース（Ｉ／Ｆ）部３２と、パケット中継部３３と、制御部３４と、記憶部３５とを備えている。これら公衆網インタフェース部３１、ＬＡＮインタフェース部３２、パケット中継部３３、制御部３４及び記憶部３５は、データハイウェイ３６を介して互いに接続されている。
【００１８】
また、公衆網インタフェース部３１、ＬＡＮインタフェース部３２及びパケット中継部３３は、ＰＣＭハイウェイ３７を介して互いに接続されている。
【００１９】
公衆網インタフェース部３１には、公衆網４が必要に応じて接続される。公衆網インタフェース部３１は、接続された公衆網４とＰＣＭハイウェイ３７との間でインタフェース処理を行なう。また、公衆網インタフェース部３１は、上記インタフェース処理に係わる種々の制御情報の授受を、データハイウェイ３６を介して制御部３４との間で行う。
【００２０】
ＬＡＮインタフェース部３２には、ＬＡＮ１が必要に応じて接続される。ＬＡＮインタフェース部３２は、接続されたＬＡＮ１とＰＣＭハイウェイ３７との間でインタフェース処理を行なう。また、ＬＡＮインタフェース部３２は、上記インタフェース処理に係わる種々の制御情報の授受を、データハイウェイ３６を介して制御部３４との間で行う。
【００２１】
パケット中継部３３は、公衆網４から受信した音声信号をＬＡＮ１で取り扱い可能な音声パケットに変換してＬＡＮ１へ送出すると共に、ＬＡＮ１から受信した音声パケットを公衆網４で取り扱い可能な音声信号に変換して公衆網４へ送信する機能を有する。
【００２２】
制御部３４は、ＣＰＵ、ＲＯＭ、ＲＡＭなどを有して構成され、ソフトウェア処理により主装置３の各部の制御や上記ＬＡＮ１と公衆網４との間の接続制御を行う。
【００２３】
記憶部３５は、制御部３４の接続制御に必要なルーティング情報等を格納しており、さらに端末登録テーブル３５１と、ユーザ設定情報テーブル３５２と、テンプレートデータテーブル３５３とを格納している。
【００２４】
端末登録テーブル３５１には、各電話端末２−１〜２−ｎにそれぞれ付与された端末ＩＤと、ユーザ名と、各電話端末２−１〜２−ｎの機種を表す端末機種との対応関係を表すデータが記憶されている。
【００２５】
ユーザ設定情報テーブル３５２には、図３に示すように、各ユーザ名と、ユーザ所有の電話端末２−１〜２−ｎにセットすべく機能情報群を表す設定情報テーブルとの対応関係を表すデータが記憶されている。この設定情報テーブルには、電話機能設定、キーコンフィグ設定が含まれている。電話機能設定には、機能ごとのオン・オフ、機能タイマごとのタイマ値が設定され、キーコンフィグ設定にはキーごとの用途が設定される。
【００２６】
テンプレートデータテーブル３５３には、図４に示すように、端末種別ごとのテンプレートが記憶されている。このテンプレートには、設定可能な複数の電話機能各々についての初期設定値が含まれている。
【００２７】
これに対し、制御部３４は、端末制御部３４１と、端末設定変換部３４２と、機能設定制御部３４３とを備えている。
端末制御部３４１は、ログイン／ログアウト処理及び電話機能に関する設定処理を行うもので、例えば電話端末２−１のユーザが電話端末２−２にて端末ＩＤ、ユーザ名、端末種別情報を含むログイン情報が入力された場合に、このログイン情報に含まれる電話端末２−１の端末ＩＤ及びユーザ名を端末登録テーブル３５１に登録されている端末ＩＤ及びユーザ名と比較し、正当であれば端末設定変換部３４２を起動させる。この際、電話端末２−２の端末種別情報と、端末登録テーブル３５１に保存した電話端末２−１の端末種別情報とを端末設定変換部３４２に入力する。
【００２８】
端末設定変換部３４２は、電話端末２−１の端末種別情報と電話端末２−２の端末種別情報とを比較し、端末種別が同一種別の場合には何もせず、異なる場合には、テンプレートデータテーブル３５３からログインした電話端末２−２に対応するテンプレートを読み出すとともに、電話端末２−１に関する設定情報テーブルをユーザ設定情報テーブル３５２から読み出す。そして、このテンプレート中の設定情報テーブルと共通する機能について、初期設定値を設定機能情報に更新することで電話端末２−１に対応した設定情報テーブルを作成する。
【００２９】
機能設定制御部３４３は、上記端末設定変換部３４２により作成された設定情報テーブルを電話端末２−１の表示器に表示させる。そして、この表示に対し機能設定指示が入力された場合に、この設定情報テーブル中の各電話機能の機能情報を電話端末２−１に設定するように、端末制御部３４１を制御する。
【００３０】
次に、以上のように構成されたシステムの動作について説明する。
図５は、電話端末２−１と、電話端末２−２と、主装置３との間における処理手順と処理内容を示すシーケンス図であり、図６は主装置３内の制御部３４による処理手順と処理内容を示すフローチャートである。
【００３１】
いま例えば図５に示すように、まず電話端末２−１のユーザが電話端末２−１をログインして該電話端末２−１にセットされた機能情報に基づく電話機能を利用していたとする。
【００３２】
この状態で、電話端末２−１においてユーザが、該電話端末２−１をログアウトして電話端末２−２の設置場所に移動し、この電話端末２−２から主装置３へ端末ＩＤ、ユーザ名、端末種別情報を含むログイン情報を入力する操作を行ったとする。そうすると電話端末２−２からそのログイン情報がＬＡＮ１を介して主装置３に送られる。
【００３３】
このログイン情報を受信すると（ステップＳＴ６ａ）、制御部３４はこのログイン情報に含まれる端末ＩＤ及びユーザ名が端末登録テーブル３５１に予め登録してあるものであるか否かの判断を行う（ステップＳＴ６ｂ）。ここで、入力された端末ＩＤ及びユーザ名と、端末登録テーブル３５１に登録されている端末ＩＤ及びユーザ名が一致しない場合（Ｎｏ）、制御部３４は要求元となる電話端末２−１に対し機能設定ができない旨や入力エラーの通知を行う。
【００３４】
一方、入力された端末ＩＤ及びユーザ名が端末登録テーブル３５１に登録済みであることが確認できた場合（Ｙｅｓ）、制御部３４は端末設定変換部３４２により設定情報テーブルの変換処理を実行する（ステップＳＴ６ｃ）。
【００３５】
図７は、端末設定変換部３４２の変換処理の様子を示している。
すなわち、端末設定変換部３４２は、テンプレートデータテーブル３５３からログインした電話端末２−２に対応するテンプレートを読み出すとともに、以前にログインしていた電話端末２−１に関する設定情報テーブルをユーザ設定情報テーブル３５２から読み出す。
【００３６】
この読み出した設定情報テーブルの電話機能設定及びキーコンフィグ設定で、テンプレートの電話機能設定及びキーコンフィグ設定と共通するものについて、テンプレートに初期値が設定されていれば書き替え、テンプレートに初期値が設定されていなければコピーすることにより、電話端末２−２に対応した設定情報テーブルを作成する。
【００３７】
ここで、電話端末２−２に対応した設定情報テーブルが作成された場合に、制御部３４は設定情報テーブルが変換された旨のメッセージとその変換された設定情報テーブルの内容を要求元の電話端末２−２の表示器に表示させ（ステップＳＴ６ｄ）、ユーザが機能設定指示入力を行うか否かの判断を行う（ステップＳＴ６ｅ）。従って、この表示によりユーザは変換された設定情報テーブルの内容を確認することができる。
【００３８】
この状態でユーザが、電話端末２−２において機能設定指示を入力したとする（Ｙｅｓ）。そうすると制御部３４は、電話端末２−２に対し設定情報テーブル中の該当する電話機能を有効状態に設定する（ステップＳＴ６ｆ）。このとき、制御部３４は、変換した設定情報テーブルをユーザ名及び電話端末２−２の端末ＩＤに対応付けてユーザ設定情報テーブル３５２に登録するとともに、端末登録テーブル３５１に電話端末２−２の端末ＩＤと、ユーザ名と、電話端末２−２の端末種別情報とを対応付けて登録する。
【００３９】
かくして、ユーザは、電話端末２−１で利用していた電話機能を電話端末２−２にて引き続き利用することができる。
なお、ステップＳＴ６ｅにおいてユーザが機能設定指示を入力せず他の処理を行った場合や一定期間内に機能設定指示を入力しない場合には（Ｎｏ）、制御部３４は処理を終了する。
【００４０】
以上のように上記実施形態では、主装置３において、設定可能な複数の電話機能各々についての初期値を表すテンプレートを各電話端末２−１〜２−ｎの端末種別情報に対応付けてテンプレートデータテーブル３５３に登録しておくようにし、電話端末２−１にてユーザ名及び電話端末２−１の端末ＩＤを含むログイン情報が発生した場合に、制御部３４の端末設定変換部３４２にて電話端末２−２に対応するテンプレートをテンプレートデータテーブル３５３から参照して、電話端末２−１へセットすべく電話機能を表す設定情報テーブルを電話端末２−２対応の設定情報テーブルに変換し、この変換後の設定情報テーブル中の該当する電話機能に対応する機能情報を電話端末２−２にセットするようにしている。
【００４１】
従って、電話端末２−１にセットされる電話機能を電話端末２−２にて引き続き利用することができ、これによりユーザの利便性を大幅に改善することができる。また、電話端末２−１にセットされていた多数の電話機能を電話端末２−２に一度に転送してセットできる。
【００４２】
また、上記実施形態では、ログイン前の電話端末２−１に対応する設定情報テーブルがログイン後の電話端末２−２に対応する設定情報テーブルに変換されるごとにユーザが自身でその設定情報テーブルの内容を電話端末２−２の表示器にて確認することができ、これにより各電話機能を電話端末２−２にセットする必要がある場合のみセットすることができる。
【００４３】
また、上記実施形態では、端末登録テーブル３５１に登録済みのユーザ名及び端末ＩＤを利用して、設定情報テーブルの変換処理に先立ち、ログイン操作を行うユーザの正当性についても事前に確実に判断することもできる。
【００４４】
さらに、上記実施形態では、ログイン操作を行った電話端末２−２にて、設定情報テーブルの変換後に、この変換された設定情報テーブルがユーザ名に対応付けてユーザ設定情報テーブル３５２に登録され、かつユーザ名と、電話端末２−２の端末ＩＤと、電話端末２−２の種別情報とが端末登録テーブル３５１に登録されることにもなるので、電話端末２−１のユーザが電話端末２−２を継続的に使用したい場合に、ユーザ名を入力するのみで、引き続き電話機能を利用することができる。
【００４５】
なお、この発明は上記実施形態に限定されるものではない。例えば上記実施形態では、設定情報テーブルがログイン先の電話端末対応の設定情報テーブルに変換されるごとに、その変換された旨のメッセージ及びその設定情報テーブルの内容をログイン先の電話端末に表示させて、ユーザの指示を待って機能設定を実行する例について説明した。しかし、これに限ることなく、ユーザの指示を待たずに変換された設定情報テーブルに従って自動的に機能設定を実行するようにしてもよい。
【００４６】
また、上記実施形態では、ログイン先の電話端末にて端末ＩＤ、ユーザ名、端末種別情報を入力する例について説明した。しかし、これに限ることなく、端末登録テーブルに端末ＩＤと、ユーザ名と、端末種別情報とを対応付けて登録してあるならば、ユーザ名のみを入力するようにしてもよい。
【００４７】
また、上記実施形態では、ＬＡＮを使用したネットワーク電話システムを例にとって説明した。しかし、これに限ることなく、各電話端末をそれぞれ内線を介して電話交換装置に接続させるように構成してもよい。また、ＬＡＮ以外の通信ネットワークを使用するようにしてもよい。
【００４８】
その他、ネットワーク電話システムの構成、主装置の種類及びその構成、電話端末の種類、設定情報テーブルの内容、テンプレートの内容、設定情報テーブルの変換手順や機能設定手順等についても、この発明の要旨を逸脱しない範囲で種々変形して実施できる。
【００４９】
【発明の効果】
以上詳述したようにこの発明によれば、電話端末の機種に関係なく、ユーザ自身の電話端末に設定した機能を他の電話端末にて使用できるようにし、これによりユーザの利便性を高めた電話交換装置及びネットワーク電話システムを提供することができる。
【図面の簡単な説明】
【図１】この発明に係わるネットワーク電話システムの一実施形態を示す概略構成図。
【図２】図１に示した主装置の機能構成を示すブロック図。
【図３】図２に示したユーザ設定情報テーブルの記憶内容の一例を示す図。
【図４】図２に示したテンプレートデータテーブルの記憶内容の一例を示す図。
【図５】同実施形態において、電話端末と主装置との間における処理手順と処理内容を示すシーケンス図。
【図６】主装置内の制御部による処理手順と処理内容を示すフローチャート。
【図７】図２に示した端末設定変換部の変換処理の様子を示す図。
【符号の説明】
１…ＬＡＮ（Ｌｏｃａｌ  Ａｒｅａ  Ｎｅｔｗｏｒｋ）、２−１〜２−ｎ…電話端末、３…主装置、４…公衆網、３１…公衆網インタフェース部、３２…ＬＡＮインタフェース部、３３…パケット中継部、３４…制御部、３５…記憶部、３６…データハイウェイ、３７…ＰＣＭハイウェイ、３４１…端末制御部、３４２…端末設定変換部、３４３…機能設定制御部、３５１…端末登録テーブル、３５２…ユーザ設定情報テーブル、３５３…テンプレートデータテーブル。
【図１】
2004363651.tif 000003
【図２】
2004363651.tif 000004
【図３】
2004363651.tif 000005
【図４】
2004363651.tif 000006
【図５】
2004363651.tif 000007
【図６】
2004363651.tif 000008
【図７】
2004363651.tif 000009